(57)【要約】【課題】双方向の通信を１本の光ファイバで行うことができる光伝送システム、および、当該光伝送システムを実現可能にする光送受信装置を提供する。【解決手段】各光送受信装置（１ｉ、１ｊ、１ｋ）において、一方の外部光入出力ポート（１１、１２）から入射した光受信信号を光受信部（３０）で受信するとともに他方の外部光入出力ポート（１２、１１）に出力し、光送信部（２０）から出力された光送信信号を両方の外部光入出力ポート（１１、１２）から外部に出力する。【選択図】            図１
2005012447.tif 000002
【特許請求の範囲】
【請求項１】
２つの外部光入出力ポートを備える光回路部と、当該光回路部を介して外部に光送信信号を送信する光送信部と、前記光回路部を介して外部から光受信信号を受信する光受信部と、を有する光送受信装置であって、
前記光回路部は、一方の前記外部光入出力ポートから入射した光受信信号を前記光受信部に出力するとともに他方の前記外部光入出力ポートから出力し、前記光送信部から入射した光送信信号を前記２つの外部入出力ポートから出力することを特徴とする光送受信装置。
【請求項２】
前記光回路部は、
第１および第２の外部光入出力ポートと、
前記第１の外部光入出力ポートに接続された第１の光分岐結合器と、
前記第２の外部光入出力ポートと前記第１の光分岐結合器とに接続された第２の光分岐結合器と、
前記第１および第２の光分岐結合器と前記光送信部と前記光受信部とに接続された第３の光分岐結合器と、を有し、
前記第１の光分岐結合器は、前記第１の外部光入出力ポートから入射した光受信信号を前記第２および第３の光分岐結合器に出力し、前記第３の光分岐結合器から入射した光送信信号および前記第２の光分岐結合器から入射した光受信信号を前記第１の外部光入出力ポートに出力し、
前記第２の光分岐結合器は、前記第２の外部光入出力ポートから入射した光受信信号を前記第１および第３の光分岐結合器に出力し、前記第３の光分岐結合器から入射した光送信信号および前記第１の光分岐結合器から入射した光受信信号を前記第２の外部光入出力ポートに出力し、
前記第３の光分岐結合器は、前記光送信部から入射した光送信信号を前記第１および第２の光分岐結合器に出力し、前記第１および第２の光分岐結合器から入射した光受信信号を前記光受信部に出力することを特徴とする請求項１に記載の光送受信装置。
【請求項３】
前記光受信部は前記光受信信号のうち所定の波長の信号を選択的に受信し、前記所定の波長は可変であることを特徴とする請求項１または２に記載の光送受信装置。
【請求項４】
前記光受信部は、
出力する光の波長が可変である波長可変光源と、
当該波長可変光源から出力された光と前記光受信信号とを結合する光結合器と、
当該光結合器により結合された光を受光して電気信号に変換する受光器と、
前記波長可変光源から出力される光の波長を受信すべき光受信信号の波長に一致させる波長制御部と、
を有することを特徴とする請求項３に記載の光送受信装置。
【請求項５】
前記光受信部により取り出された電気信号の帯域を制限する低域通過フィルタと、
当該低域通過フィルタの通過帯域を受信すべき光受信信号の帯域幅に応じて
変化させる帯域制御部と、
をさらに有することを特徴とする請求項１〜４のいずれかに記載の光送受信装置。
【請求項６】
請求項１〜５のいずれかに記載の複数の光送受信装置が直列に接続されてなる光伝送システムであって、
隣り合う光送受信装置の外部光入出力ポートは互いに１本の光ファイバで接続されることを特徴とする光伝送システム。
【発明の詳細な説明】
【０００１】
【発明の属する技術分野】
本発明は、光信号を送受信する光送受信装置およびこれを用いた光伝送システムに関し、特に、波長多重（ＷＤＭ：  Ｗａｖｅｌｅｎｇｔｈ  Ｄｉｖｉｓｉｏｎ  Ｍｕｌｔｉｐｌｅｘ）伝送システムに好適に用いられるものに関する。
【０００２】
【従来の技術】
現在のＷＤＭ伝送システムにおいては、２つの局（ノード）間を結ぶポイントツーポイントの伝送システムが主流である。多ノードを結ぶシステムとしてはリング形状のものがある（例えば、非特許文献１参照。）。このシステムでは、各ノードにおける波長の挿入と分離の手段として光フィルタが用いられている。
【０００３】
図６は、従来の光伝送システムの構成の一例を示すブロック図である。図６において、複数のノード３ｉ、３ｊ、３ｋは、上り用の光ファイバ４および下り用の光ファイバ５によって接続されている。このように、通常、情報の送受信には、上り用と下り用の２本の光ファイバが用いられる。ここで、上りと下りの区別は便宜上のものである。
【０００４】
図６において、ノード３ｉの送信光源４１から出力された波長λｉの光信号は、光結合器４２で上り用の光ファイバ４に結合し、光分岐器４３ｊ、４３ｋによりノード３ｊ、３ｋに取り込まれる。ここで、光フィルタ４４ｊの通過波長がλｉ以外であるとすると、光信号は受信器４５ｊには到達しない。一方、光フィルタ４４ｋの通過波長がλｉであるとすると、光信号は受信器４５ｋに到達し、電気信号として取り出される。
【０００５】
同様に、ノード３ｋの送信光源５１から出力された波長λｋの光信号は、光結合器５２で下り用の光ファイバ５に結合し、光分岐器５３ｊ、５３ｉによりノード３ｊ、３ｉに取り込まれる。ここで、光フィルタ５４ｊの通過波長がλｋ以外であるとすると、光信号は受信器５５ｊには到達しない。一方、光フィルタ５４ｉの通過波長がλｋであるとすると、光信号は受信器５５ｉに到達し、電気信号として取り出される。
【０００６】
このように、図６に示される光伝送システムでは、送信側のノードの送信光源の波長に受信側のノードの光フィルタの通過波長を一致させることによって、送信側のノードから受信側のノードへの光信号の伝送が行われる。
【０００７】
【非特許文献１】
Ｎ．ｔａｋａｃｈｉｏ  ｅｔ  ａｌ．，”Ｗｉｄｅ  ａｒｅａ  ｇｉｇａｂｉｔ  ａｃｃｅｓｓ  ｎｅｔｗｏｒｋ  ｂａｓｅｄ  ｏｎ  １２．５ＧＨｚ  ｓｐａｃｅｄ  ２５６  ｃｈａｎｎｅｌ  ｓｕｐｅｒ−ｄｅｎｓｅ  ＷＤＭ  ｔｅｃｈｎｏｌｏｇｉｅｓ，”ＩＥＥ  Ｅｌｅｃｔｒｏｎｉｃｓ  Ｌｅｔｔｅｒｓ，ｖｏｌ．３７，ｎｏ．５，ｐｐ．３０９−３１１，Ｍａｒ．２００１．
【０００８】
【発明が解決しようとする課題】
上記の光伝送システムでは、上り用と下り用の２本の光ファイバが用いられるが、コスト削減の観点より、双方向の通信は１本の光ファイバで実現されることが望ましい。
【０００９】
また、光フィルタの通過波長は固定的であるので、通過波長を変更して対向ノードを変更することが容易でない。このため、任意のノード間で通信を行うことが困難である。
【００１０】
さらに、光フィルタの通過帯域幅も固定的であり、送受する光信号の帯域幅の変更が容易でない。このため、ノード間の伝送容量を変化させることが困難である。
【００１１】
本発明は上記事情に鑑みなされたものであり、その目的は、双方向の通信を１本の光ファイバで行うことができる光伝送システム、および、当該光伝送システムを実現可能にする光送受信装置を提供することである。
【００１２】
また、他の目的は、任意のノード間で通信を行うことができる光伝送システム、および、当該光伝送システムを実現可能にする光送受信装置を提供することである。
【００１３】
さらに、他の目的は、ノード間で送受される光信号の帯域幅を容易に変更することができる光伝送システム、および、当該光伝送システムを実現可能にする光送受信装置を提供することである。
【００１４】
【課題を解決するための手段】
上記した課題を解決し、目的を達成するための第１の発明は、２つの外部光入出力ポートを備える光回路部と、当該光回路部を介して外部に光送信信号を送信する光送信部と、前記光回路部を介して外部から光受信信号を受信する光受信部と、を有する光送受信装置であって、前記光回路部は、一方の前記外部光入出力ポートから入射した光受信信号を前記光受信部に出力するとともに他方の前記外部光入出力ポートから出力し、前記光送信部から入射した光送信信号を前記２つの外部入出力ポートから出力する光送受信装置である。
【００１５】
また、第２の発明は、第１の発明において、前記光回路部は、第１および第２の外部光入出力ポートと、前記第１の外部光入出力ポートに接続された第１の光分岐結合器と、前記第２の外部光入出力ポートと前記第１の光分岐結合器とに接続された第２の光分岐結合器と、前記第１および第２の光分岐結合器と前記光送信部と前記光受信部とに接続された第３の光分岐結合器と、を有し、前記第１の光分岐結合器は、前記第１の外部光入出力ポートから入射した光受信信号を前記第２および第３の光分岐結合器に出力し、前記第３の光分岐結合器から入射した光送信信号および前記第２の光分岐結合器から入射した光受信信号を前記第１の外部光入出力ポートに出力し、前記第２の光分岐結合器は、前記第２の外部光入出力ポートから入射した光受信信号を前記第１および第３の光分岐結合器に出力し、前記第３の光分岐結合器から入射した光送信信号および前記第１の光分岐結合器から入射した光受信信号を前記第２の外部光入出力ポートに出力し、前記第３の光分岐結合器は、前記光送信部から入射した光送信信号を前記第１および第２の光分岐結合器に出力し、前記第１および第２の光分岐結合器から入射した光受信信号を前記光受信部に出力するものである。
【００１６】
また、第３の発明は、第１または２の発明において、前記光受信部は前記光受信信号のうち所定の波長の信号を選択的に受信し、前記所定の波長は可変であるものである。
【００１７】
また、第４の発明は、第３の発明において、前記光受信部は、出力する光の波長が可変である波長可変光源と、当該波長可変光源から出力された光と前記光受信信号とを結合する光結合器と、当該光結合器により結合された光を受光して電気信号に変換する受光器と、前記波長可変光源から出力される光の波長を受信すべき光受信信号の波長に一致させる波長制御部と、を有するものである。
【００１８】
また、第５の発明は、第１〜４のいずれかの発明において、前記光受信部により取り出された電気信号の帯域を制限する低域通過フィルタと、当該低域通過フィルタの通過帯域を受信すべき光受信信号の帯域幅に応じて変化させる帯域制御部と、をさらに有するものである。
【００１９】
また、第６の発明は、第１〜５のいずれかの発明に係る複数の光送受信装置が直列に接続されてなる光伝送システムであって、隣り合う光送受信装置の外部光入出力ポートは互いに１本の光ファイバで接続される伝送システムである。
【００２０】
【発明の実施の形態】
以下に添付図面を参照して、本発明に係る光送受信装置および光伝送システムについての好適な実施形態を第１、第２の実施形態に分けて詳細に説明する。
【００２１】
（第１の実施形態）
図１は、本実施形態に係る光伝送システムの構成を示すブロック図である。図１において、光伝送システムは、複数のノードとして、直列に接続された複数の光送受信装置１を有する。隣り合う光送受信装置１は互いに１本の光ファイバ２で接続されており、光ファイバ２は、上り方向（図１の矢線Ａ方向）および下り方向（図１の矢線Ｂ方向）の双方向の光信号を伝送する。図１には、３つの光送受信装置１ｉ、１ｊ、１ｋが示されているが、光送受信装置１ｉの下り方向側および光送受信装置１ｋの上り方向側には、他の光送受信装置１も接続されているものとする。
【００２２】
光送受信装置１は、それぞれ、２つの外部光入出力ポートを備える光回路部１０と、この光回路部１０を介して外部に光送信信号を送信する光送信部２０と、光回路部１０を介して外部から光受信信号を受信する光受信部３０とを有する。ここで、光送信信号とは、ある光送受信装置１に着目した場合に当該装置から外部へ出力される光信号を意味する。一方、光受信信号とは、ある光送受信装置１に着目した場合に外部から当該装置に入射した光信号を意味する。
【００２３】
光回路部１０は、２つの外部光入出力ポート１１、１２と、３つの光分岐結合器１３、１４、１５とを備えている。
【００２４】
光分岐結合器１３は、外部光入出力ポート１１と光分岐結合器１４、１５とに接続されている。そして、外部光入出力ポート１１から入射した光受信信号を光分岐結合器１４、１５に出力する。また、光分岐結合器１５から入射した光送信信号および光分岐結合器１４から入射した光受信信号を外部光入出力ポート１１に出力する。
【００２５】
光分岐結合器１４は、外部光入出力ポート１２と光分岐結合器１３、１５とに接続されている。そして、外部光入出力ポート１２から入射した光受信信号を光分岐結合器１３、１５に出力する。また、光分岐結合器１５から入射した光送信信号および光分岐結合器１３から入射した光受信信号を外部光入出力ポート１２に出力する。
【００２６】
光分岐結合器１５は、光分岐結合器１３、１４と光送信部２０と光受信部３０とに接続されている。そして、光送信部２０から入射した光送信信号を光分岐結合器１３、１４に出力する。また、光分岐結合器１３、１４から入射した光受信信号を光受信部３０に出力する。
【００２７】
光送信部２０は、他の光送受信装置１に送信すべき情報信号で変調された光である光送信信号を出力する光源である。本実施形態では、光送受信装置１ｉ、１ｊ、１ｋの光送信部２０は、それぞれ、波長λｉ、λｊ、λｋの光送信信号を出力する。
【００２８】
光受信部３０は、光分岐結合器１５から入射した光受信信号のうち所定の波長を有する信号を選択的に受信するものであり、本実施形態では上記の所定の波長は可変である。具体的には、光受信部３０は、波長可変光源３１、光結合器３２、受光器３３、および波長制御部３４を有し、ホモダイン検波を行う。波長可変光源３１は、出力する光の波長が可変である光源である。光結合器３２は、波長可変光源３１から出力された光と光受信信号とを結合し、受光器３３に出力する。受光器３３は、光結合器３２から入射した光を電気信号に変換する。波長制御部３４は、波長可変光源３１から出力される光の波長を選択的に受信すべき光信号の波長に一致させる。
【００２９】
以下、上記の構成を有する光伝送システムにおける光送受信装置１の動作および光信号の流れについて説明する。ここでは、光送受信装置１ｉから光送受信装置１ｋに対して光信号が送信される場合を例にとって説明する。
【００３０】
まず、光送受信装置１ｉは、光送信信号の送信に先立って、光送受信装置１ｋに対して送信開始要求を送信する。光送受信装置１ｋは、この送信開始要求に応じて、波長制御部３４により波長可変光源３１から出力される光の波長を光送受信装置１ｉの光送信信号の波長であるλｉに一致させる。そして、光送受信装置１ｉに対して受信準備が完了した旨の応答を送信する。光送受信装置１ｉは、この応答を受信すると、光送信信号の送信を開始する。なお、これらのやりとりは光ファイバ２を介して行われてもよいし、他のネットワークを介して行われてもよい。また、事前に波長を一致させるための手段は、上記のものに限られず、受信側の波長可変光源３１の波長を送信側の光送信信号の波長に一致させることができれば、どのようなものであってもよい。
【００３１】
光送受信装置１ｉにおいて、光送信部２０は、送信すべき情報信号で変調された波長λｉの光送信信号を出力する。この光送信信号は、光分岐結合器１５で二方向に分岐し、一方は光分岐結合器１３で下り方向（図１の矢線Ｂ方向）の光信号と結合し、他方は光分岐結合器１４で上り方向（図１の矢線Ａ方向）の光信号と結合する。上り方向の光送信信号は、外部光入出力ポート１２から光ファイバ２へ送出される。
【００３２】
光送受信装置１ｉから出力された上り方向の光送信信号は、光送受信装置１ｊを通って、光送受信装置１ｋの外部光入出力ポート１１に入射する。
【００３３】
光送受信装置１ｋでは、外部光入出力ポート１１に入射した光送信信号（以下、光受信信号と称す）は、光分岐結合器１３で二方向に分岐し、一方は光分岐結合器１４で光送信信号と結合し、他方は光分岐結合器１５で下り方向の光受信信号と結合する。光分岐結合器１５から出力された光受信信号は、光結合器３２で波長可変光源３１から出力された波長λｉの光と結合し、受光器３３に入射する。受光器３３は、光結合器３２から入射した光を電気信号に変換する。このとき、波長可変光源３１から出力される光の波長はλｉであるので、複数の波長の光信号が多重化された光受信信号の中から、波長λｉを有する光送受信装置１ｉから送信された光信号が選択的に電気信号として取り出される。なお、取り出された電気信号に含まれる隣接する波長帯の信号すなわち他の光送受信装置１からの信号は、不図示の低域通過フィルタ（ＬＰＦ：  Ｌｏｗ  Ｐａｓｓ  Ｆｉｌｔｅｒ）により除去される。
【００３４】
上記の説明では、光送受信装置１ｊにおける光信号の流れが省略されているが、光送受信装置１ｉから出力された上り方向の光送信信号は、光送受信装置１ｊにおいても取り込まれる。ただし、光送受信装置１ｊの波長可変光源３１の光の波長がλｉでない場合は、当該光送信信号は電気信号として取り出されない。一方、λｉである場合は、電気信号として取り出される。すなわち、複数の光送受信装置１において、波長可変光源３１の光の波長をλｉに一致させれば、複数のノードに同時に送信するマルチキャストが可能となる。さらに、光送受信装置１ｉ以外の他のすべての光送受信装置１の波長可変光源３１の光の波長をλｉに一致させれば、全ノードに送信する放送形式のブロードキャストが可能となる。
【００３５】
以上のとおり、本実施形態によれば、各光送受信装置１において、一方の外部光入出力ポート１１または１２から入射した光受信信号を光受信部３０で受光するとともに他方の外部光入出力ポート１２または１１に出力し、光送信部２０から出力された光送信信号を両方の外部光入出力ポート１１および１２から外部に出力するので、双方向の通信を１本の光ファイバで行うことができる光伝送システムを実現することができる。この結果、上り用と下り用の２本の光ファイバを使用する場合に比べて、システムの構成を簡素化することができ、コストを削減することができる。このような効果は、波長可変光源３１の光の波長が固定であっても得られる。また、波長可変光源３１、光結合器３２、波長制御部３４の代わりに光フィルタを用いることとしても得られる。さらに、例えば、すべての光送受信装置１の光送信信号の波長を同一にし、各光送受信装置１による光送信信号の出力タイミングを制御すれば、所定の波長の信号を選択的に受信するための構成を省略しても、上記の効果は得られる。
【００３６】
また、３つの光分岐結合器１３、１４、１５により、双方向の光受信信号の受信および双方向への光送信信号の送信を行うので、双方向の通信を１本の光ファイバで行うための光送受信装置を簡易な構成で実現することができる。
【００３７】
また、各光送受信装置１において、所望の波長の信号を選択的に受信するので、任意のノード間で通信を行うことができ、さらに、一つのノードから任意の複数ノードへのマルチキャストや放送型のブロードキャストといった情報伝達形態を要望に応じて容易に変更することができる。なお、本実施形態では、ホモダイン検波を用いることとしているが、所望の波長の信号を選択的に受信することができれば、他の構成を採用しても当該効果を得ることができる。
【００３８】
（第２の実施形態）
本実施形態に係る光伝送システムおよび光送受信装置は、上記第１の実施形態とほとんど同じであるが、取り出された電気信号の帯域を制限する低域通過フィルタの通過帯域が可変であり、当該通過帯域を受信すべき光信号の帯域幅に応じて変化させることを特徴とするものである。以下、図面を用いて本実施形態について説明するが、第１の実施形態と共通する部分については、説明を省略し、同一の符号を用いることとする。
【００３９】
図２は、本実施形態に係る光送受信装置の構成を示すブロック図である。図２において、光送受信装置は、通過帯域が可変である低域通過フィルタ３５と、この低域通過フィルタ３５の通過帯域を変化させる帯域制御部３６とを有する点で、図１に示される光送受信装置と異なっている。
【００４０】
本実施形態では、光送信信号の送信に先立って、帯域制御部３６に対して、送信側の光送受信装置から送信される光送信信号の帯域幅が通知される。そして、帯域制御部３６は、通知された帯域幅に応じて低域通過フィルタ３５の通過帯域を変化させる。
【００４１】
以下、光送受信装置１ｉと光送受信装置１ｋとの間で、双方向に、同一容量の光信号を送受する場合を例にとって、光信号の波長配置について説明する。
【００４２】
図３〜５は、光信号の波長配置の例を示す図である。図３は、光ファイバ２中の光信号の波長配置を示す。図４は、光送受信装置１ｉにおける光送信信号および波長可変光源３１の波長配置を示す。図５は、光送受信装置１ｋにおける光送信信号および波長可変光源３１の波長配置を示す。
【００４３】
図４、５に示されるとおり、光送受信装置１ｉは、波長λｉ、帯域幅ｗの光送信信号Ｌｉを光ファイバ２へ出力し、光送受信装置１ｋは、波長λｋ、帯域幅ｗの光送信信号Ｌｋを光ファイバ２へ出力する。また、図示はされていないが、光送受信装置１ｊは、波長λｊ、帯域幅ｗｊの光送信信号Ｌｊを光ファイバ２へ出力する。さらに、これら以外の光送受信装置１も光送信信号Ｌを出力する。
【００４４】
したがって、図３に示されるとおり、光ファイバ２は、光送受信装置１ｉ、１ｊ、１ｋ等から出力された光信号Ｌｉ、Ｌｊ、Ｌｋ等で満たされている。
【００４５】
ここで、図４、５に示されるとおり、光送受信装置１ｉ、１ｋの波長可変光源３１の波長はそれぞれλｋ、λｉである。また、光送受信装置１ｉ、１ｋの低域通過フィルタ３５の通過帯域は、予め帯域幅ｗに応じて設定されている。これにより、光送受信装置１ｉは、光送受信装置１ｋの光送信信号Ｌｋを電気信号として取り出すことができ、光送受信装置１ｋは、光送受信装置１ｉの光送信信号Ｌｉを電気信号として取り出すことができる。
【００４６】
本実施形態に係る光送受信装置によれば、第１の実施形態で得られる効果の他に、以下の効果が得られる。
【００４７】
送信側の光送受信装置１から送信される光送信信号の帯域幅に応じて低域通過フィルタ３５の通過帯域を変化させるので、受信側の光送受信装置１において任意の帯域幅の光信号を受信することが可能となる。このため、光送受信装置１の間で送受される光信号の帯域幅すなわち伝送容量を容易に変更することができる。より具体的には、伝送するファイル量や情報量に応じて波長当たりの伝送容量を適宜変更することが可能となる。
【００４８】
以上、本発明の好適な実施形態について説明したが、本発明は上記の実施形態に限定されない。例えば、光回路部１０は、一方の外部光入出力ポート１１または１２から入射した光受信信号を光受信部３０に出力するとともに他方の外部光入出力ポート１２または１１から外部に出力し、光送信部２０から入射した光送信信号を２つの外部入出力ポート１１および１２から外部に出力するものであれば、特にその構成は限定されない。
【００４９】
【発明の効果】
本発明によれば、各ノードにおいて、一方の外部光入出力ポートから入射した光受信信号を光受信部で受光するとともに他方の外部光入出力ポートに出力し、光送信部から出力された光送信信号を両方の外部光入出力ポートから外部に出力するので、双方向の通信を１本の光ファイバで行うことができる。
【００５０】
また、各ノードにおいて、光受信部は光受信信号のうち所定の波長の信号を選択的に受信し、当該所定の波長は可変であるので、所望の波長の光信号を選択的に受信することができ、任意のノード間での通信が可能となる。
【００５１】
さらに、光受信部により取り出された電気信号の帯域を制限する低域通過フィルタの通過帯域を、受信すべき光受信信号の帯域幅に応じて変化させるので、ノード間の伝送容量を容易に変化させることができる。
【図面の簡単な説明】
【図１】第１の実施形態に係る光伝送システムの構成を示すブロック図である。
【図２】第２の実施形態に係る光送受信装置の構成を示すブロック図である。
【図３】光ファイバ２中の光信号の波長配置を示す図である。
【図４】光送受信装置１ｉにおける光送信信号および波長可変光源３１の波長配置を示す図である。
【図５】光送受信装置１ｋにおける光送信信号および波長可変光源３１の波長配置を示す図である。
【図６】従来の光伝送システムの構成の一例を示すブロック図である。
【符号の説明】
１、１ｉ、１ｊ、１ｋ  光送受信装置（ノード）
１０  光回路部
１１、１２  外部光入出力ポート
１３、１４、１５  光分岐結合器
２０  光送信部
３０  光受信部
３１  波長可変光源
３２  光結合器
３３  受光器
３４  波長制御部
３５  低域通過フィルタ
３６  帯域制御部
２  光ファイバ
【図１】
2005012447.tif 000003
【図２】
2005012447.tif 000004
【図３】
2005012447.tif 000005
【図４】
2005012447.tif 000006
【図５】
2005012447.tif 000007
【図６】
2005012447.tif 000008